【手続補正書】
【提出日】平成24年5月9日(2012.5.9)
【手続補正１】
【補正対象書類名】明細書
【補正対象項目名】発明の名称
【補正方法】変更
【補正の内容】
【発明の名称】リアルタイムサービスの伝送方法、通信方法、通信装置、及び通信プログラム、並びにリソースの割り当て方法、割り当て装置、および割り当てプログラム
【手続補正２】
【補正対象書類名】特許請求の範囲
【補正対象項目名】全文
【補正方法】変更
【補正の内容】
【特許請求の範囲】
【請求項１】
端末と基地局との間にリソース割り当て制御用チャネルがあり、前記基地局によりリアルタイムサービスを伝送するサービスチャネルリソースを前記端末に割り当てるリアルタイムサービス伝送用リソースの割り当て方法であって、
前記基地局が、前記リソース割り当て制御用チャネルにより、リアルタイムサービスのデータパケットをハイブリッド自動再送要求の初期伝送するための半静的なサービスチャネルリソースを前記端末に割り当て、前記基地局により前記半静的なサービスチャネルリソースを再配置またはリリースするまで、前記端末が前記半静的なサービスチャネルリソースを持続的に使用できる処理と、
前記基地局が、前記リソース割り当て制御用チャネルにより、リアルタイムサービスのデータパケットをハイブリッド自動再送要求の再送信するための動的なサービスチャネルリソースを前記端末に割り当て、前記端末が割り当てられる期間のみに前記動的なサービスチャネルリソースを使用できる処理が含まれていることを特徴とするリアルタイムサービス伝送用リソースの割り当て方法。
【請求項２】
端末と基地局との間にリソース割り当て制御用チャネル及び情報フィードバック制御用チャネルがあり、前記端末と前記基地局との間で上りリンクのリアルタイムサービス伝送を行う上りリンクのリアルタイムサービスの伝送方法であって、
前記基地局が半静的なサービスチャネルリソースを前記端末に割り当て、前記基地局が前記半静的なサービスチャネルリソースを再配置またはリリースするまで、前記端末が前記半静的なサービスチャネルリソースを持続的に使用できる処理と、
前記端末が、前記半静的なサービスチャネルリソースを用いてリアルタイムサービスのデータパケットをハイブリッド自動再送要求の初期伝送する処理と、
前記基地局が、前記半静的なサービスチャネルリソースを受信し、初期伝送された前記リアルタイムサービスのデータパケットが正しいか否かを判断し、初期伝送された前記リアルタイムサービスのデータパケットがエラーであると判定した場合、動的なサービスチャネルリソースを前記端末に割り当てる処理と、
前記端末が、前記動的なサービスチャネルリソースを用いて前記リアルタイムサービスのデータパケットを再送信する処理と、
前記基地局が、前記動的なサービスチャネルリソースを受信し、再送信された前記リアルタイムサービスのデータパケットが正しいか否かと判定し、再送信された前記リアルタイムサービスのデータパケットがエラーと判定し、かつ再送信回数が所定の閾値に達しない場合、動的なサービスチャネルリソースを前記端末に新たに割り当てる処理とが含まれていることを特徴とする上りリンクのリアルタイムサービスの伝送方法。
【請求項３】
前記基地局はリソース割り当て制御用チャネルにより前記半静的なサービスチャネルリソース及び前記動的なサービスチャネルリソースを割り当てることを特徴とする請求項２に記載の上りリンクのリアルタイムサービスの伝送方法。
【請求項４】
前記半静的なサービスチャネルリソースを割り当てる際に使用されるリソース割り当て制御用チャネルにより、前記半静的な情報フィードバック制御用チャネルを前記リソース割り当て制御用チャネルと一対一にするように前記端末に割り当てることで、前記情報フィードバック制御用チャネルを割り当てることを特徴とする請求項２に記載の上りリンクのリアルタイムサービスの伝送方法。
【請求項５】
端末と基地局との間にリソース割り当て制御用チャネル及び情報フィードバック制御用チャネルがあり、前記端末と前記基地局との間で下りリンクのリアルタイムサービス伝送を行う下りリンクのリアルタイムサービスの伝送方法であって、
前記基地局が、半静的なサービスチャネルリソースを前記端末に割り当て、前記基地局
が前記半静的なサービスチャネルリソースを再配置またはリリースするまで、前記端末が前記半静的なサービスチャネルリソースを持続的に使用できる処理と、
前記基地局が、前記半静的なサービスチャネルリソースを用いてリアルタイムサービスのデータパケットをハイブリッド自動再送要求の初期伝送する処理と、
前記端末が、前記半静的なサービスチャネルリソースを受信し、初期伝送された前記リアルタイムサービスのデータパケットが正しいか否かを判断し、初期伝送された前記リアルタイムサービスのデータパケットがエラーであると判定した場合、ハイブリッド自動再送要求の受信エラーを示す指示メッセージを前記基地局にフィードバックする処理と、
前記基地局が、動的なサービスチャネル資源を前記端末に動的に割り当てる処理と、
前記基地局が、前記動的なサービスチャネルリソースを用いて前記リアルタイムサービスのデータパケットを再送信する処理と、
前記端末が、前記動的なサービスチャネルリソースを受信し、再送信された前記リアルタイムサービスのデータパケットが正しいか否かを判断し、再送信された前記リアルタイムサービスのデータパケットがエラーと判定する場合、ハイブリッド自動再送要求の受信エラーを示す指示メッセージを前記基地局にフィードバックする処理とが含まれていることが特徴とする下りリンクのリアルタイムサービスの伝送方法。
【請求項６】
前記基地局は前記リソース割り当て制御用チャネルにより前記半静的なサービスチャネルリソース及び前記動的なサービスチャネルリソースを割り当てることを特徴とする請求項５に記載の下りリンクのリアルタイムサービスの伝送方法。
【請求項７】
前記端末が再送信された前記リアルタイムサービスのデータパケットがエラーと判定し、ハイブリッド自動再送要求の受信エラーを示す指示メッセージを前記基地局にフィードバックする場合、前記基地局が再送信回数が所定の閾値に達しないと判断する場合、動的なサービスチャネルリソースを前記端末に新たに割り当てることを特徴とする請求項５に記載の下りリンクのリアルタイムサービスの伝送方法。
【請求項８】
前記半静的なサービスチャネルリソースを割り当てる際に使用されるリソース割り当て制御用チャネルにより、前記半静的な情報フィードバック制御用チャネルを前記リソース割り当て制御用チャネルと一対一にするように前記端末に割り当てることで、情報フィードバック制御用チャネルを割り当てることをさらに特徴とする請求項５に記載の下りリンクのリアルタイムサービスの伝送方法。
【請求項９】
持続的に使用する方式には時間的に持続的に使用し、周期的に使用することが含まれていることを特徴とする請求項１、２、および５のうち何れか１項に記載の下りリンクのリアルタイムサービスの伝送方法。
【請求項１０】
リアルタイムサービス伝送用リソースの割り当て方法であって、
基地局が、リソース割り当て制御用チャネルにより、リアルタイムサービスのデータパケットのハイブリッド自動再送要求の初期伝送をするために、再配置またはリリースされるまで端末によって持続的に使用される半静的なサービスチャネルリソースを前記端末に割り当てる処理と、
前記基地局が、前記リソース割り当て制御用チャネルにより、リアルタイムサービスのデータパケットのハイブリッド自動再送要求の再送信をするために、前記端末によって、割り当てられた期間のみに使用される動的なサービスチャネルリソースを前記端末に割り当てる処理が含まれていることを特徴とするリアルタイムサービス伝送用リソースの割り当て方法。
【請求項１１】
上りリンクのリアルタイムサービスの通信方法であって、
基地局が、前記基地局により再配置またはリリースされるまで端末によって持続的に使用される半静的なサービスチャネルリソースを前記端末に割り当てる処理と、
前記基地局が、前記端末から、リアルタイムサービスのデータパケットのハイブリッド自動再送要求の初期伝送をするために使用される前記半静的なサービスチャネルリソースを受信する処理と、
前記基地局が、初期伝送された前記リアルタイムサービスのデータパケットが正しいか否かを判断し、初期伝送された前記リアルタイムサービスのデータパケットがエラーであると判定した場合、動的なサービスチャネルリソースを前記端末に割り当てる処理と、
前記基地局が、前記端末から、前記リアルタイムサービスのデータパケットを再送信するために用いられる前記動的なサービスチャネルリソースを受信する処理と、
前記基地局が、再送信された前記リアルタイムサービスのデータパケットが正しいか否かを判定し、再送信された前記リアルタイムサービスのデータパケットがエラーと判定し、かつ再送信回数が所定の閾値に達しない場合、動的なサービスチャネルリソースを前記端末に新たに割り当てる処理とが含まれていることを特徴とする上りリンクのリアルタイムサービスの通信方法。
【請求項１２】
下りリンクのリアルタイムサービスの通信方法であって、
基地局が、再配置またはリリースされるまで端末によって持続的に使用される半静的なサービスチャネルリソースを前記端末に割り当てる処理と、
前記基地局が、前記半静的なサービスチャネルリソースを用いてリアルタイムサービスのデータパケットのハイブリッド自動再送要求の初期伝送をする処理と、
前記基地局が、前記端末から、初期伝送された前記リアルタイムサービスのデータパケットが正しいことを示すハイブリッド自動再送要求の正常受信指示メッセージ、または初期伝送された前記リアルタイムサービスのデータパケットが正しくないことを示すハイブリッド自動再送要求の受信エラー指示メッセージを受信する処理と、
前記基地局が、前記端末から、ハイブリッド自動再送要求の受信エラー指示メッセージを受信した場合に、動的なサービスチャネル資源を前記端末に割り当てる処理と、
前記基地局が、前記動的なサービスチャネルリソースを用いて前記リアルタイムサービスのデータパケットを再送信する処理と、
前記基地局が、前記端末から、再送信された前記リアルタイムサービスのデータパケットが正しいことを示すハイブリッド自動再送要求の正常受信指示メッセージ、または再送信された前記リアルタイムサービスのデータパケットが正しくないことを示すハイブリッド自動再送要求の受信エラー指示メッセージを受信する処理とが含まれていることを特徴とする下りリンクのリアルタイムサービスの通信方法。
【請求項１３】
前記基地局が、再送信された前記リアルタイムサービスのデータパケットがエラーであることを示すハイブリッド自動再送要求の受信エラー指示メッセージを受信する場合であって、前記基地局が再送信回数が所定の閾値に達しないと判断する場合、前記基地局が動的なサービスチャネルリソースを前記端末に新たに割り当てることを特徴とする請求項１２に記載の下りリンクのリアルタイムサービスの通信方法。
【請求項１４】
持続的に使用する方式には時間的に持続的に使用し、周期的に使用することが含まれていることを特徴とする請求項１０、１１、および１２のうち何れか１項に記載の下りリンクのリアルタイムサービスの通信方法。
【請求項１５】
リアルタイムサービス伝送用リソースの割り当て装置であって、
リアルタイムサービスのデータパケットのハイブリッド自動再送要求の初期伝送をするために、再配置またはリリースされるまで持続的に使用される半静的なサービスチャネルリソースを割り当てる手段と、
リアルタイムサービスのデータパケットのハイブリッド自動再送要求の再送信をするために、割り当てられた期間のみに使用される動的なサービスチャネルリソースを割り当てる手段が含まれていることを特徴とするリアルタイムサービス伝送用リソースの割り当て装置。
【請求項１６】
上りリンクのリアルタイムサービスの通信装置であって、
再配置またはリリースされるまで持続的に使用される半静的なサービスチャネルリソースを割り当てる手段と、
リアルタイムサービスのデータパケットのハイブリッド自動再送要求の初期伝送をするために使用される前記半静的なサービスチャネルリソースを受信する手段と、
初期伝送された前記リアルタイムサービスのデータパケットが正しいか否かを判断し、初期伝送された前記リアルタイムサービスのデータパケットがエラーであると判定した場合、動的なサービスチャネルリソースを割り当てる手段と、
前記リアルタイムサービスのデータパケットを再送信するために用いられる前記動的なサービスチャネルリソースを受信する手段と、
再送信された前記リアルタイムサービスのデータパケットが正しいか否かを判定し、再送信された前記リアルタイムサービスのデータパケットがエラーと判定し、かつ再送信回数が所定の閾値に達しない場合、動的なサービスチャネルリソースを新たに割り当てる手段とが含まれていることを特徴とする上りリンクのリアルタイムサービスの通信装置。
【請求項１７】
下りリンクのリアルタイムサービスの通信装置であって、
再配置またはリリースされるまで持続的に使用される半静的なサービスチャネルリソースを割り当てる手段と、
前記半静的なサービスチャネルリソースを用いてリアルタイムサービスのデータパケットのハイブリッド自動再送要求の初期伝送をする手段と、
初期伝送された前記リアルタイムサービスのデータパケットが正しいことを示すハイブリッド自動再送要求の正常受信指示メッセージ、または初期伝送された前記リアルタイムサービスのデータパケットが正しくないことを示すハイブリッド自動再送要求の受信エラー指示メッセージを受信する手段と、
動的なサービスチャネル資源を割り当てる手段と、
前記動的なサービスチャネルリソースを用いて前記リアルタイムサービスのデータパケットを再送信する手段と、
再送信された前記リアルタイムサービスのデータパケットが正しいことを示すハイブリッド自動再送要求の正常受信指示メッセージ、または再送信された前記リアルタイムサービスのデータパケットが正しくないことを示すハイブリッド自動再送要求の受信エラー指示メッセージを受信する手段とが含まれていることを特徴とする下りリンクのリアルタイムサービスの通信装置。
【請求項１８】
さらに、再送信回数が所定の閾値に達することを判断する手段が含まれていることを特徴とする請求項１７に記載の下りリンクのリアルタイムサービスの通信装置。
【請求項１９】
リアルタイムサービス伝送用リソースの割り当て装置のコンピュータに処理を実行させるリアルタイムサービス伝送用リソースの割り当てプログラムであって、前記処理には、
リアルタイムサービスのデータパケットのハイブリッド自動再送要求の初期伝送をするために、再配置またはリリースされるまで持続的に使用される半静的なサービスチャネルリソースを割り当てる処理と、
リアルタイムサービスのデータパケットのハイブリッド自動再送要求の再送信をするために、割り当てられた期間のみに使用される動的なサービスチャネルリソースを割り当てる処理が含まれていることを特徴とするリアルタイムサービス伝送用リソースの割り当てプログラム。
【請求項２０】
上りリンクのリアルタイムサービスの通信装置のコンピュータに処理を実行させる上りリンクのリアルタイムサービスの通信プログラムであって、前記処理には、
再配置またはリリースされるまで持続的に使用される半静的なサービスチャネルリソースを割り当てる処理と、
リアルタイムサービスのデータパケットのハイブリッド自動再送要求の初期伝送をするために使用される前記半静的なサービスチャネルリソースを受信する処理と、
初期伝送された前記リアルタイムサービスのデータパケットが正しいか否かを判断し、初期伝送された前記リアルタイムサービスのデータパケットがエラーであると判定した場合、動的なサービスチャネルリソースを割り当てる処理と、
前記リアルタイムサービスのデータパケットを再送信するために用いられる前記動的なサービスチャネルリソースを受信する処理と、
再送信された前記リアルタイムサービスのデータパケットが正しいか否かを判定し、再送信された前記リアルタイムサービスのデータパケットがエラーと判定し、かつ再送信回数が所定の閾値に達しない場合、動的なサービスチャネルリソースを新たに割り当てる処理とが含まれていることを特徴とする上りリンクのリアルタイムサービスの通信プログラム。
【請求項２１】
下りリンクのリアルタイムサービスの通信装置のコンピュータに処理を実行させる下りリンクのリアルタイムサービスの通信プログラムであって、前記処理には、
再配置またはリリースされるまで持続的に使用される半静的なサービスチャネルリソースを割り当てる処理と、
前記半静的なサービスチャネルリソースを用いてリアルタイムサービスのデータパケットのハイブリッド自動再送要求の初期伝送をする処理と、
初期伝送された前記リアルタイムサービスのデータパケットが正しいことを示すハイブリッド自動再送要求の正常受信指示メッセージ、または初期伝送された前記リアルタイムサービスのデータパケットが正しくないことを示すハイブリッド自動再送要求の受信エラー指示メッセージを受信する処理と、
ハイブリッド自動再送要求の受信エラー指示メッセージを受信した場合に、動的なサービスチャネル資源を割り当てる処理と、
前記動的なサービスチャネルリソースを用いて前記リアルタイムサービスのデータパケットを再送信する処理と、
再送信された前記リアルタイムサービスのデータパケットが正しいことを示すハイブリッド自動再送要求の正常受信指示メッセージ、または再送信された前記リアルタイムサービスのデータパケットが正しくないことを示すハイブリッド自動再送要求の受信エラー指示メッセージを受信する処理とが含まれていることを特徴とする下りリンクのリアルタイムサービスの通信プログラム。
【請求項２２】
さらに、再送信回数が所定の閾値に達しないと判断する場合、動的なサービスチャネルリソースを新たに割り当てる処理が含まれていることを特徴とする請求項２１に記載の下りリンクのリアルタイムサービスの通信プログラム。